(57)【特許請求の範囲】
【請求項１】
回転爪軸（Ｓ）に装着される基部（１）と、
前記基部（１）から鉛直下方に連なって伸びる横刃部湾曲開始部（Ｆ）までの縦刃部（２）と、
前記縦刃部（２）から回転方向と逆方向に湾曲するとともに、前記基部（１）に対して一方向に湾曲してなり、前記横刃部湾曲開始部（Ｆ）を境として連なって伸びる湾曲板からなる横刃部（３）とを備えてなり、
前記縦刃部（２）と前記横刃部（３）は、刃縁側から背部側にかけて前記一方向側へと湾曲する背部側湾曲領域を備え、
前記背部側湾曲領域は、縦刃側湾曲線と横刃側湾曲線で構成されており、刃部の上端又は前記刃部より前記背部側に位置する縦刃側湾曲線にて前記縦刃部と前記背部側湾曲領域とを区画し、
前記横刃側湾曲線は、前記横刃部湾曲開始部（Ｆ）に直交することを特徴とする耕耘爪。
【請求項２】
回転爪軸（Ｓ）に装着される基部（１）と、
前記基部（１）から鉛直下方に連なって伸びる横刃部湾曲開始部（Ｆ）までの縦刃部（２）と、
前記縦刃部（２）から回転方向と逆方向に湾曲するとともに、前記基部（１）に対して一方向に湾曲してなり、前記横刃部湾曲開始部（Ｆ）を境として連なって伸びる湾曲板からなる横刃部（３）とを備えてなり、
前記縦刃部（２）と前記横刃部（３）は、刃縁側から背部側にかけて前記一方向側へと湾曲する背部側湾曲領域を備え、
前記背部側湾曲領域は、縦刃側湾曲線と横刃側湾曲線で構成されており、刃部の上端又は前記刃部より前記背部側に位置する縦刃側湾曲線にて前記縦刃部と前記背部側湾曲領域とを区画し、
前記縦刃部湾曲線は、少なくとも円弧部を有してなり、前記横刃側湾曲線は、前記円弧部の接線であり、且つ、前記横刃部湾曲開始部（Ｆ）に直交することを特徴とする耕耘爪。
【発明の詳細な説明】
【技術分野】
【０００１】
本発明は、土壌を耕起する耕耘爪に関するものである。
【背景技術】
【０００２】
従来の耕耘爪の形状として、図５に示すような側面視形状（ただし、回転爪軸の軸線方向を法線とする面を側面とする。）のものがあった。当該耕耘爪は、基部１０と、基部１０から横刃先端部湾曲開始部Ｆまでの平面板からなる縦刃部２０と、横刃先端部湾曲開始部Ｆを境として連なって伸び、一方向に曲率半径ｒ１にて湾曲する湾曲板からなる横刃部３０とを備えてなるものである（特許文献１参照）。
【０００３】
このような耕耘爪においては、使用限界時までの刃縁部における仰角の角度変化を抑えるため、第１仰角αと第２仰角βとを５度以内となるよう設定している。当該第１仰角αは、横刃部３０における耕耘開始前（刃縁が摩耗していない状態）の仰角を示すものであり、第２仰角βは、刃部における使用限界時の仰角を示すものである。また、第１仰角αと第２仰角βは、以下のとおりに設定される。
【０００４】
当該耕耘爪において、同図に示すように、回転爪軸Ｓの回転軸線Ｓ０を法線とする面を側面とし、平面視にて基部１０の面を基準として、一方向に湾曲する基準面からの高さを全湾曲高さＨ１とする。そして、全湾曲高さＨ１の中間位置であって、横刃部３０の厚さの中間位置である中点Ｊを通ってなる横刃部湾曲開始部Ｆの接線Ｇに平行な線を平行線Ｇ１とする。また、平行線Ｇ１に対して接する接円弧Ｆ１と刃縁中心との交点をＫとする。このとき、刃縁交点Ｋと回転軸線Ｓ０とを結ぶ線Ｔと、刃縁交点Ｋを通る接円弧Ｆ１の第１接線Ｖとのなす角度を第１仰角αとしている。
【０００５】
また、接円弧Ｆ１と横刃部３０の上端縁中心との交点を上端縁交点Ｍとしたとき、上端縁交点Ｍから下方の所定距離に位置し、且つ、接円弧Ｆ１上に位置する使用限界点Ｎと回転軸線Ｓ０とを結ぶ線Ｔ１と、使用限界点Ｎを通る接円弧Ｆ１の第２接線Ｖ１とのなす角度は、第２仰角βとしている。
【先行技術文献】
【特許文献】
【０００６】
【特許文献１】特願２０１４−０５２７０７号公報
【発明の概要】
【発明が解決しようとする課題】
【０００７】
しかしながら、上記耕耘爪においては、反転性、すきこみ性、砕土性に優れた耕耘爪であるが、図６に示すように、土壌に対する耕耘爪の取付位置Ｗ１、耕深Ｗ２の耕耘時において、横刃部湾曲開始部Ｆに至るまでの縦刃部２０が土中に打ち込まれた後に横刃部３０が打ちこまれることで負荷変動が大きくなり、これにより馬力負荷、振動が大きくなってしまうものであった。
【０００８】
また、粘性の強い土壌を耕耘する際においては、耕耘爪が上記形状であるために土壌を抱き込んだ状態となり、当該状態で耕耘することで放てき性の低下が懸念されるものであった。
【０００９】
そこで、本発明はこのような問題点を解決するものであって、反転性、すきこみ性、砕土性に優れた耕耘爪であって、特に耕耘時における全体的な負荷変動を緩和するとともに、如何なる土壌であっても耕耘性能を維持することができる耕耘爪を提供することを課題とする。
【課題を解決するための手段】
【００１０】
前記問題点を解決するために、本発明の請求項１に記載の耕耘爪は、回転爪軸に装着される基部と、前記基部から鉛直下方に連なって伸びる横刃部湾曲開始部までの縦刃部と、前記縦刃部から回転方向と逆方向に湾曲するとともに、前記基部に対して一方向に湾曲してなり、前記横刃部湾曲開始部を境として連なって伸びる湾曲板からなる横刃部とを備えてなり、前記縦刃部と前記横刃部は、刃縁側から背部側にかけて前記一方向側へと湾曲する背部側湾曲領域を備え、前記背部側湾曲領域は、縦刃側湾曲線と横刃側湾曲線で構成されており、刃部の上端又は前記刃部より前記背部側に位置する縦刃側湾曲線にて前記縦刃部と前記背部側湾曲領域とを区画し、前記横刃側湾曲線は、前記横刃部湾曲開始部（Ｆ）に直交することを特徴とするものである。
【００１１】
また、本発明の請求項２に記載の耕耘爪は、回転爪軸（Ｓ）に装着される基部（１）と、前記基部（１）から鉛直下方に連なって伸びる横刃部湾曲開始部（Ｆ）までの縦刃部（２）と、前記縦刃部（２）から回転方向と逆方向に湾曲するとともに、前記基部（１）に対して一方向に湾曲してなり、前記横刃部湾曲開始部（Ｆ）を境として連なって伸びる湾曲板からなる横刃部（３）とを備えてなり、前記縦刃部（２）と前記横刃部（３）は、刃縁側から背部側にかけて前記一方向側へと湾曲する背部側湾曲領域を備え、前記背部側湾曲領域は、縦刃側湾曲線と横刃側湾曲線で構成されており、刃部の上端又は前記刃部より前記背部側に位置する縦刃側湾曲線にて前記縦刃部と前記背部側湾曲領域とを区画し、前記縦刃部湾曲線は、少なくとも円弧部を有してなり、前記横刃側湾曲線は、前記円弧部の接線であり、且つ、前記横刃部湾曲開始部（Ｆ）に直交することを特徴とするものである。
【発明の効果】
【００１４】
本発明の耕耘爪では、従来の耕耘爪と比較して、打ち込み時に縦刃部、背部側湾曲領域、横刃部が順に土壌に作用するため、横刃部が土壌に作用する前に背部側湾曲領域にて土壌を耕起させることができ、横刃部の耕起を円滑に行うことができる。これにより、耕耘時における全体的な負荷変動を緩和することができ、反転性、すきこみ性、砕土性等の各種耕耘性能を向上させることができる。
【００１５】
また、粘性の強い土壌を耕耘する場合においても、背部側湾曲領域によって、土壌を抱き込むことなく耕耘することができるので、放てき性を良好なものとすることができる。すなわち、従来の耕耘爪よりも、さらに反転性、すきこみ性、砕土性に優れた耕耘爪であって、特に耕耘時における全体的な負荷変動を緩和するとともに、如何なる土壌であっても耕耘性能を維持することができる。
【図面の簡単な説明】
【００１６】
【図１】本発明の実施例における耕耘爪の側面図、平面図である。
【図２】本発明の実施例における耕耘爪の耕耘作業中の概略図である。
【図３】本発明の実施例における耕耘爪の背部側湾曲領域を説明する各断面図である。
【図４】本発明の別実施例における耕耘爪の側面図である。
【図５】従来の耕耘爪の側面図、一部Ａ−Ａ断面図である。
【図６】従来の耕耘爪の耕耘作業中の概略図である。
【発明を実施するための形態】
【００１７】
以下、本発明の実施の形態における耕耘爪を図面に基づいて説明する。当該耕耘爪において、回転爪軸Ｓの回転軌道と正対する面、すなわち回転爪軸Ｓの回転軸線を法線とする面を側面とする。当該側面において、縦刃部が鉛直下向きに伸びるものとしたとき、横刃部３が縦刃部２から横方向へ伸びる伸び方向と正対する面を正面方向とする。尚、正面方向から観察した正面視（図示せず）にて右方向に湾曲している。また、図１に示すように、側面図視にて、向かって手前方向に湾曲してなる。
【実施例】
【００１８】
本発明に係る耕耘爪は、図１に示すように、回転爪軸Ｓに装着される基部１と、基部１から鉛直下方に連なって伸びる縦刃部２と、縦刃部２から横刃部湾曲開始部Ｆを境として連なって伸びる横刃部３とが一体的に構成される。基部１は平面板からなり、縦刃部２の一部領域及び横刃部３は湾曲板からなる。
【００１９】
基部１は、取付け中心にて回転爪軸Ｓに取付けることで装着される。当該取付け中心には、回転爪軸Ｓに取付ける為の取付け孔１ｈが側面視幅方向中央に設けられる。すなわち、取付け孔１ｈの側面視形状中心が取付け中心である。取付け孔１ｈはひとつ又は複数設けてもよいものである。複数の取付け孔１ｈの場合は、取付け中心は側面視にて向かって最下の取付け孔１ｈの中心、或いは縦方向中央の取付け孔１ｈの中心をいうものとすることができる。
【００２０】
また、基部１の両側面のうち湾曲方向と反対側の側面を基準面とする（図１参照）。同図に示すように、当該基準面は、横刃部３が第１湾曲曲率半径ｒ１により湾曲された全湾曲高さＨ１についての基準となる。
【００２１】
縦刃部２は、基部１から鉛直下方に連なって主として縦方向へ伸びる横刃部湾曲開始部Ｆまでの領域をいう。縦刃部２は、主として、基部１から横刃部湾曲開始部Ｆに至るまで順次厚さが薄くなる平面板からなるとともに、横刃部湾曲開始部Ｆにかけて部分的に湾曲する領域を有してなる。当該領域は、背部側湾曲領域とされ、これについては後述する。また、当該縦刃部２は、下方側縁及び下縁に連なる刃を有する。縦刃部２の側面視形状は、縦刃部刃縁の横方向開始部である刃縁始端Ｏから横方向（図１における向かって左方向）へ曲がりながら、主として縦方向へ伸びる。そして、縦刃部２の側面視刃縁形状は刃縁始端Ｏから側面視斜方向へ滑らかに曲がってなる。
【００２２】
横刃部３は、横刃部湾曲開始部Ｆから先端までの全領域をいい、基準面に対して一方向へ連続的に湾曲した湾曲板からなる。当該湾曲板は、側面視においてもまた、先端に向かって上方に曲がる湾曲した形状である。すなわち、横刃部湾曲開始部Ｆを境として縦刃部２と連なり、側面視にて主として横方向へ伸びると共に上方へ曲がり、さらに平面視にて湾曲する。また、横刃部３は、縦刃部２と同様にして、背部側湾曲領域を有してなる。横刃部３の背部側湾曲領域は、横刃部湾曲開始部Ｆから先端までの全領域とされる。
【００２３】
横刃部湾曲開始部Ｆは、図１に示すように直線状からなる。そして、横刃部湾曲開始部Ｆにおける刃縁２ａとの交点をＩとしたとき、側面視における基部１の取付け孔１ｈの取付け中心を通る鉛直線分から交点Ｉまでの水平距離を湾曲開始水平距離Ｌとする。また、取付け孔１ｈの取付け中心を通る鉛直線分から横刃部３の横方向先端位置Ｑ１までの水平距離を全横長さＢとする。このとき、湾曲開始水平距離Ｌは、全横長さＢの略半分になるよう設定される。より詳細には、全横長さＢと湾曲開始水平距離Ｌの比率が１対０．４〜０．６程度となるよう設定される。
【００２４】
そして、全湾曲高さＨ１の中間位置であって、横刃部３における刃縁２ａ側の厚さの中間位置である中点Ｊを通ってなり、横刃部湾曲開始部Ｆに平行な線を平行線Ｆ１とし、平行線Ｆ１と刃縁２ａの中心との交点を刃縁交点Ｋとする。このとき、刃縁交点Ｋと回転軸線Ｓ０とを結ぶ線Ｔと、平行線Ｆ１とのなす角度は、第１仰角αとされる。
【００２５】
また、全湾曲高さＨ１の中間位置であって、横刃部３における背部２ｂ側の厚さの中間位置である中点Ｍを通ってなり、横刃部湾曲開始部Ｆに平行な線を平行線Ｆ２とし、平行線Ｆ２と背部２ｂの中心との交点を背部交点Ｍ１とする。また、背部交点Ｍ１を通り、横刃部３の刃縁交点Ｋにかけて全湾曲高さＨ１の中間位置を通る曲線を曲線Ｇとする。そして、背部交点Ｍ１から下方の所定距離に位置し、且つ、曲線Ｇ上に位置する使用限界点Ｎと回転軸線Ｓ０とを結ぶ線Ｔ１と、使用限界点Ｎを通る曲線Ｇの接線とのなす角度は、第２仰角βとされる。第１仰角αは、横刃部３における耕耘開始前（刃縁が摩耗していない状態）の仰角を示すものであり、第２仰角βは、刃部における使用限界時の仰角を示すものである。
【００２６】
このとき、横刃部３において、第１仰角αと第２仰角βとの角度変化が５度以内となるよう設定される。より好ましくは、第１仰角αと第２仰角βとが略同角度となるよう設定され、第１仰角αと第２仰角βとの比率が１対１〜１．１となるよう設定される。また、交点Ｉを通る水平線と、横刃部湾曲開始部Ｆとのなす角度は湾曲角度γとされ、湾曲角度γが略９０度若しくは略９０度より小さくなるよう設定される。
【００２７】
（湾曲開始水平距離Ｌと第１湾曲曲率半径ｒ１の関係）
回転爪軸Ｓの回転軸線を法線とする面を側面としたとき、第１湾曲曲率半径ｒ１は、湾曲開始水平距離Ｌより大きくなるよう設定されることが望ましい。これにより、全横長さＢと湾曲開始水平距離Ｌの関係において、横刃部３の長さを長くするとともに、横刃部３を大きく湾曲させた形状とすることができ、耕起、放てき性が良好となる。
【００２８】
（側面視全体形状）
本耕耘爪の側面視全体形状は、図１に示すように、刃縁２ａの最下縁から横刃部刃縁の横方向先端位置Ｑまでの鉛直距離を耕耘逃げ長さＡとし、取付け孔１ｈの取付け中心から耕耘爪の最下縁までの鉛直距離を全縦長さＣとしたとき、耕耘逃げ長さＡと全横長さＢと全縦長さＣと湾曲開始水平距離Ｌの比率が１対２．５〜４．５対１．５〜３対１〜２．５程度とされる。
【００２９】
（側面視刃縁形状）
縦刃部刃縁の横方向開始部である刃縁始端Ｏから横刃部刃縁の横方向先端位置Ｑまでに亘る側面視刃縁形状は、連続的に曲率変化させた、全体として非円弧の曲線からなる。尚、当該曲線は、全体として非円弧であれば複数の円弧曲線が連なってなるものでもよい。
【００３０】
回転爪軸Ｓの回転軸線Ｓ０から任意の刃縁２ａまでの距離を刃縁距離Ｒとおいたとき、当該刃縁距離Ｒは、刃縁２ａの側面視横方向位置に応じて連続的に変化してなる。更に、側面視横方向に伸びてなる横刃部３の刃縁２ａにおいて、その横方向の中途位置において最大刃縁距離Ｒｍとなる。この最大刃縁距離Ｒｍとなる横刃部３の刃縁位置を、最大刃縁位置Ｐとする。
【００３１】
刃部の鉛直縦方向長さは、縦刃部２における刃の開始位置から、爪の最下部までの長さを刃縦長さＥとしたとき、刃縦長さＥは全横長さＢの０．２〜０．５程度となるよう設定される。
【００３２】
本耕耘爪においては、図１に示すように、横刃部３の湾曲方向の両側面から刃を形成した両刃爪としているが、これに限られることなく、横刃部３の湾曲方向の一側面のみに刃を形成した片刃爪であってもよいし、この他、横刃部３の湾曲方向と反対方向の一側面のみに刃を形成した片刃爪としてもよい。また、例えば、縦刃部２を両刃爪とし、横刃部３を片刃爪とすることもできるし、縦刃部２を片刃爪とし、横刃部３を両刃爪とすることもできる。すなわち、両刃爪と片刃爪を組み合わせるものであってもよい。
【００３３】
（湾曲）
横刃部３は、ひとつ又は複数の互いに異なる湾曲半径が組み合わされて一方向へ湾曲される。すなわち、基部１（基端）側の湾曲率と横刃部先端（爪先端）側の湾曲率とが異なる大きさで隣接して滑らかに形成される。また、ひとつ又は複数の互いに異なる湾曲半径を組み合わせて横刃部３を湾曲する場合において、適宜の箇所にひとつ又は複数の直線部を組み合わせるものであってもよい。
【００３４】
また、図１に示すように、回転爪軸Ｓの回転半径Ｒが最大値Ｒｍとなる横刃部３の刃縁位置（最大刃縁位置Ｐ）における基準面からの湾曲高さＨ２が、横刃部３における湾曲方向側の横方向先端位置Ｑ２における全湾曲高さＨ１の略半分程度、もしくは半分以上に及ぶものである。
【００３５】
また、縦刃部２と横刃部３は、図１及び図３に示すように、刃縁２ａ側から背部２ｂ側にかけて、横刃部３と同方向の一方向側へと湾曲する背部側湾曲領域を備えてなる。当該背部側湾曲領域は、背部側湾曲開始部Ｕを境界として湾曲される。当該背部側湾曲開始部Ｕは、基部１を除いた横刃部湾曲開始部Ｆに至るまでの縦刃部２側に形成される縦刃側湾曲線Ｕ１と、横刃部湾曲開始部Ｆから横刃部３側に形成される横刃側湾曲線Ｕ２とから構成される。
【００３６】
縦刃側湾曲線Ｕ１は、刃部の上端又は刃部の上端より背部２ｂ側に位置してなり、縦刃部２の背部２ｂ側を正面視にて右方向に湾曲させるものである。すなわち、基準面に対して直交する方向に第２湾曲曲率半径ｒ２により湾曲させてなる。より詳細には、平面視にて基準面側における横刃部３の厚みの中心を通る線を横刃部中心線としたとき、横刃部３を横刃部湾曲方向であって平面視にて横刃部中心線と直交する平面方向に湾曲させてなる。換言すると、図３のＢ−Ｂ断面図及びＣ−Ｃ断面図に示すように、側面視にて、縦刃部２の背部２ｂ側が向かって手前方向に湾曲してなる。
【００３７】
このとき、第２湾曲曲率半径ｒ２は、ひとつ又は複数の曲率半径を組み合わせるものであってもよい。例えば、縦刃部２側から横刃部３側にかけて漸次大きくなる又は小さくなる等の異なる曲率半径を組み合わせることもできるし、刃縁２ａ側から背部２ｂ側にかけて漸次大きくなる又は小さくなる等の異なる曲率半径を組み合わせることもできる。また、これらの曲率半径を適宜組み合わせることによって、背部側湾曲領域を湾曲させることができるのは勿論である。
【００３８】
これにより、刃縁２ａ側から背部２ｂ側にかけて縦刃部２を湾曲させた形状とすることができ、縦刃側湾曲線Ｕ１にて縦刃部２と背部側湾曲領域とを区画することができる。そして、耕耘時においては、縦刃部２が打ちこまれた際に、刃縁２ａで切削された土壌を背部側湾曲領域にて正面視の右方向（側面視の手前方向）へと移動させることができる。
【００３９】
また、縦刃側湾曲線Ｕ１は、横刃部湾曲開始部Ｆを通るひとつ又は複数の円弧、直線等を適宜組み合わせることで形成される。また、横刃側湾曲線Ｕ２は、縦刃側湾曲線Ｕ１と横刃部湾曲開始部Ｆとの交点を通り、横刃部湾曲開始部Ｆと直交するように設けられる。
【００４０】
具体的には、縦刃側湾曲線Ｕ１は、図１及び図３に示すように、背部２ｂより僅かに上方に位置する点を中心とし、刃縁２ａ側の下方又は基部１側へ向けた斜め下方に凸状となる円弧から形成される円弧部と、円弧部の接線となる直線部とから構成される。当該直線部は、横刃部湾曲開始部Ｆと直交するとともに、縦刃側湾曲線Ｕ１における円弧部の接線となるよう設けられる。係る場合において、横刃側湾曲線Ｕ２は当該接線の延長線とされる。
【００４１】
すなわち、耕耘爪の縦刃部２においては、縦刃側湾曲線Ｕ１によって、刃縁２ａ側から背部２ｂ側にかけて正面視の右方向に湾曲するものであり、横刃部３においては、横刃側湾曲線Ｕ２によって、刃縁２ａ側から背部２ｂ側にかけて正面視の右方向に湾曲した状態で、且つ、横刃部湾曲開始部Ｆによって、正面視の右方向に湾曲するものである。
【００４２】
このようにして、縦刃部２と横刃部３において、刃縁２ａ側から背部２ｂ側にかけて、横刃部３と同方向の一方向側へと湾曲する背部側湾曲領域を形成することにより、図２に示すように、従来品と同様の土壌に対する耕耘爪の取付位置Ｗ１、耕深Ｗ２の耕耘時において、縦刃部２が打ちこまれた際に、刃縁２ａで切削された土壌を背部側湾曲領域にて正面視の右方向（側面視の手前方向）へと移動させることができる。
【００４３】
そして、後に横刃部３が打ち込まれることで、予め、縦刃部２によって砕土され、耕起された（移動させた）土壌を反転させることができるので、従来品と比較して反転性を向上させることができる。結果として、耕耘時における全体的な負荷変動を緩和することができ、反転性、すきこみ性、砕土性等の各種耕耘性能を向上させることができる。
【００４４】
また、従来品と同様にして、第１仰角αと第２仰角βとが略同角度となる横刃部３を構成することにより、横刃部３における先端部の摩耗が進行した際であっても、反転性、すきこみ性、砕土性の低下を最小限度に抑えることができるのは勿論である。
【００４５】
以上、説明した本発明に係る耕耘爪によれば、従来の耕耘爪と比較して、打ち込み時に縦刃部２、背部側湾曲領域、横刃部３が順に土壌に作用するため、横刃部３が土壌に作用する前に背部側湾曲領域にて土壌を耕起させることができ、横刃部３の耕起を円滑に行うことができる。これにより、耕耘時における全体的な負荷変動を緩和することができ、馬力負荷、振動を低減することができるとともに、反転性、すきこみ性、砕土性等の各種耕耘性能を向上させることができる。
【００４６】
また、粘性の強い土壌を耕耘する場合においても、背部側湾曲領域によって、土壌を抱き込むことなく耕耘することができるので、放てき性を良好なものとすることができる。すなわち、従来の耕耘爪よりも、さらに反転性、すきこみ性、砕土性に優れた耕耘爪であって、特に耕耘時における全体的な負荷変動を緩和するとともに、如何なる土壌であっても耕耘性能を維持することができる。
【００４７】
当該発明は、上述の実施形態の構成に限定されるものではなく、形状、寸法、材質等を適宜変更して実施することが可能である。また、背部側湾曲領域については、背部側湾曲開始部Ｕを構成する縦刃側湾曲線Ｕ１と横刃側湾曲線Ｕ２とを適宜の形状とすることができるのは勿論である。
【００４８】
例えば、図４（ａ）に示すように、背部側湾曲領域において、縦刃側湾曲線Ｕ１は、横刃部３側における基部１と縦刃部２との境界部と、横刃部湾曲開始部Ｆと刃部の上端との交点を結ぶように、斜め下方に凸状となる円弧部のみから形成することもできる。係る際には、横刃側湾曲線Ｕ２は、縦刃側湾曲線Ｕ１となる円弧部と横刃部湾曲開始部Ｆとの交点を通り、当該円弧部の接線になるとともに、横刃部湾曲開始部Ｆと直交するように設けられる。これにより、打ち込み時における縦刃部２の大部分の領域を背部側湾曲領域とすることができ、耕耘性能においてより効果的である。
【００４９】
また、例えば、図４（ｂ）に示すように、背部側湾曲領域において、縦刃側湾曲線Ｕ１は、背部２ｂより僅かに上方に位置する点を中心とし、刃縁２ａ側の下方に凸状となる円弧から形成される円弧部と、当該円弧部の端部から連続し、上方へ屈曲する複数の直線部から形成することもできる。係る際には、横刃側湾曲線Ｕ２は、縦刃側湾曲線Ｕ１の円弧部と横刃部湾曲開始部Ｆとの交点を通り、当該円弧部の接線になるとともに、横刃部湾曲開始部Ｆと直交するように設けられる。
【００５０】
また、一部構成を省略することができるし、一部抽出した構成とすることができるのは勿論である。
【符号の説明】
【００５１】
１    基部
２    縦刃部
２ａ  刃縁
２ｂ  背部
３    横刃部
Ａ    耕耘逃げ長さ
Ｂ    全横長さ
Ｃ    全縦長さ
Ｄ    刃幅
Ｅ    刃縦長さ
Ｆ    横刃湾曲開始部
Ｈ１  全湾曲高さ
Ｋ    刃縁交点
Ｌ    湾曲開始水平距離
Ｍ    中点
Ｍ１  背部交点
Ｎ    使用限界点
Ｏ    刃縁始端
Ｐ    最大刃縁位置
Ｑ    横刃部刃縁の横方向先端位置
Ｒ    刃縁距離
Ｒｍ  最大刃縁距離
Ｓ    回転爪軸
ＳＯ  回転軸線
Ｕ    背部側湾曲開始部
Ｕ１  縦刃側湾曲線
Ｕ２  横刃側湾曲線
α    第１仰角
β    第２仰角
【図１】
0006576771.tif 000002
【図２】
0006576771.tif 000003
【図３】
0006576771.tif 000004
【図４】
0006576771.tif 000005
【図５】
0006576771.tif 000006
【図６】
0006576771.tif 000007